(57)【要約】【課題】包装箱からいわゆるマルチパック（缶製品を例えば３×２個に纏めた包装容器）や缶製品を取り出す際に、取り出し易く、かつ使用後の廃棄の際に折り畳みロックすることが可能な包装箱を提供する。【解決手段】上面板、底面板、およびこれらを連結する側面板を有して形成される胴部、ならびに内フラップおよび外フラップを備え、前記内フラップは、側面板の長手方向（胴部の周方向と直交する方向）両端部に実質的に連接して形成されており、前記外フラップは、上面板および底面板の長手方向（胴部の周方向と直交する方向）両端部に連接して形成されており、前記フラップと上面板、底面板ないし側面板が連接される折り線であって、かつ少なくとも一方の開封口側に位置する折り線において、これらの各折り線の少なくとも１つの折り線を切断するように形成された一対のスリットが折り線方向に対向配置されているように構成される。【選択図】  図１
2004238034.tif 000002
【特許請求の範囲】
【請求項１】
上面板、底面板、およびこれらを連結する側面板を有して形成される胴部、ならびに内フラップおよび外フラップを備えてなる包装箱において、
前記内フラップは、側面板の長手方向（胴部の周方向と直交する方向）両端部に実質的に連接して形成されており、
前記外フラップは、上面板および底面板の長手方向（胴部の周方向と直交する方向）両端部に連接して形成されており、
前記フラップと上面板、底面板ないし側面板が連接される折り線であって、かつ少なくとも一方の開封口側に位置する折り線において、
これらの各折り線の少なくとも１つの折り線を切断するように形成された一対のスリットが折り線方向に対向配置されていることを特徴とする包装箱。
【請求項２】
前記一対のスリットの存在によって、開封口形成のためフラップを開いた状態でフラップ折り線の近傍、かつスリットに挟まれるエリアを部分的に外方に押圧し陥没させることができるようになっている請求項１に記載の包装箱。
【請求項３】
前記一対のスリットは、切断される折り線を中心として鏡像関係に配置される請求項１または請求項２に記載の包装箱。
【請求項４】
前記一対のスリットの対向する端部同士を結ぶラインに折り線が形成されている請求項１ないし請求項３のいずれかに記載の包装箱。
【請求項５】
前記一対のスリットに挟まれるエリアが切断される折り線の略中央大部分を占めるよう配置されてなる請求項２ないし請求項４のいずれかに記載の包装箱。
【請求項６】
請求項１の包装箱において、前記外フラップと上面板が連接される折り線、および前記外フラップと底面板が連接される折り線には、当該折り線を切断するように形成された一対のスリットがそれぞれ折り線方向に対向配置されている請求項１に記載の包装箱。
【請求項７】
さらに、内フラップと側面板が連接される各折り線には、当該折り線を切断するように形成された一対の第２スリットがそれぞれ折り線方向に対向配置されている請求項６に記載の包装箱。
【請求項８】
前記一対のスリットは、一対の湾曲状のスリットの組み合わせからなり、該一対の湾曲状のスリットは、凹面対向するように配置されており、
胴部の長手方向（胴部の周方向と直交する方向）に形成されたいずれかの折り線を基線として立体箱を平面に折り畳んだ時、上面板側に位置する一対のスリットの片側と底面板側に位置する一対のスリットの片側とが差込により係止できるように上面板側に位置する一対のスリットと底面板側に位置する一対のスリットとが配置形成されてなる請求項６または請求項７に記載の包装箱。
【請求項９】
請求項７の包装箱において、前記一対のスリットは、一対の湾曲状のスリットの組み合わせからなり、該一対の湾曲状のスリットは、凹面対向するように配置されており、
胴部の長手方向（胴部の周方向と直交する方向）に形成されたいずれかの折り線を基線として立体箱を平面に折り畳んだ時、上面板側に位置する一対のスリットの片側と底面板側に位置する一対のスリットの片側とが差込により係止できるように上面板側に位置する一対のスリットと底面板側に位置する一対のスリットとが配置形成されており、
前記一対の第２のスリットは、一対の湾曲状の第２のスリットの組み合わせからなり、該一対の湾曲状の第２のスリットは、凹面対向するように配置されており、これらの第２のスリットの少なくとも一つのスリットは、前記胴部の長手方向（胴部の周方向と直交する方向）に形成されたいずれかの折り線を基線として立体箱を平面に折り畳んだ時、上面板側に位置する一対のスリットの他の片側または底面板側に位置する一対のスリットの他の片側と差込により係止できるように配置形成されてなる請求項７に記載の包装箱。
【請求項１０】
請求項７の包装箱において、前記一対の第２のスリットは、一対の湾曲状の第２のスリットの組み合わせからなり、該一対の湾曲状の第２のスリットは、凹面対向するように配置されており、これらの第２のスリットの少なくとも一つのスリットは、前記胴部の長手方向（胴部の周方向と直交する方向）に形成されたいずれかの折り線を基線として立体箱を平面に折り畳んだ時、上面板側に位置する一対のスリットの片側または底面板側に位置する一対のスリットの片側と差込により係止できるように配置形成されてなる請求項７に記載の包装箱。
【発明の詳細な説明】
【０００１】
【発明の属する技術分野】
本発明は、缶製品等の容器製品物を包み込むように収納するいわゆるラップアラウンド式の紙製包装箱に関し、特に、店頭で中身の容器製品物を陳列する際、当該包装箱からいわゆるマルチパック包装体（缶製品を例えば３×２個に纏めた包装容器）や缶製品を取り出す際に、取り出し易く、かつ使用後の廃棄の際に折り畳みロックすることが可能な包装箱に関する。
【０００２】
【従来の技術】
【特許文献１】実公平６−２１８５０号公報
【特許文献２】実公平６−４４８８１号公報
【０００３】
いわゆるラップアラウンド式の包装箱による容器製品物の包装は一般に以下の要領で行われる。すなわち、一般に上面板、底面板、およびこれらを連結する側面板を有して形成される帯状の胴部で容器製品物を包み込むように収納した後、その開口したままになっている胴部両端部をそれぞれ一対の内フラップおよび外フラップで順次塞ぐことにより、容器製品物が収納された包装箱が完成される。
【０００４】
このように形成されたラップアラウンド式の包装箱は、店頭で中身の容器製品物を陳列する際に、包装を解いて、予め収納されているマルチパック包装体（缶製品を例えば３×２個に纏めた包装容器）や缶製品を取り出す必要がある。
【０００５】
このような要望の応じるべく従来のラップアラウンド式の包装箱の開封仕様として、面積の大きな上面板（前面）を大きく破ることができる仕様のものが存在する。
【０００６】
【発明が解決しようとする課題】
しかしながら、このような仕様のものは出荷状態である内容物充填時の箱形状を大きく壊してしまうために、箱内に缶製品が残っている場合（箱使用中）であっても、取り出し口の再封止機能がなく、収納箱としての機能がきわめて悪いという問題がある。また、使用後、当該箱をゴミとして廃棄する際に嵩張るという問題もある。
【０００７】
このような実状のもとに本発明は創案されたものであり、その目的は、上記の問題点を解決し、包装箱からいわゆるマルチパック（缶製品を例えば３×２個に纏めた包装容器）や缶製品を取り出す際に、取り出し易くかつ再封止可能な包装箱を提供することにある。また、使用後の廃棄の際に折り畳みロックすることができコンパクトな形態を維持したまま廃棄することが可能な包装箱を提供することにある。
【０００８】
【課題を解決するための手段】
上記課題を解決するために、本発明の包装箱は、上面板、底面板、およびこれらを連結する側面板を有して形成される胴部、ならびに内フラップおよび外フラップを備え、前記内フラップは、側面板の長手方向（胴部の周方向と直交する方向）両端部に実質的に連接して形成されており、前記外フラップは、上面板および底面板の長手方向（胴部の周方向と直交する方向）両端部に連接して形成されており、前記フラップと上面板、底面板ないし側面板が連接される折り線であって、かつ少なくとも一方の開封口側に位置する折り線において、これらの各折り線の少なくとも１つの折り線を切断するように形成された一対のスリットが折り線方向に対向配置されているように構成される。
【０００９】
また、本発明は、前記一対のスリットの存在によって、開封口形成のためフラップを開いた状態でフラップ折り線の近傍、かつスリットに挟まれるエリアを部分的に外方に押圧し陥没させることができるように構成される。
【００１０】
また、本発明の好ましい態様として、前記一対のスリットは、切断される折り線を中心として鏡像関係に配置される。
【００１１】
また、本発明の好ましい態様として、前記一対のスリットの対向する端部同士を結ぶラインに折り線が形成される。
【００１２】
また、本発明の好ましい態様として、前記一対のスリットに挟まれるエリアが切断される折り線の略中央大部分を占めるよう配置される。
【００１３】
また、本発明の包装箱において、前記外フラップと上面板が連接される折り線、および前記外フラップと底面板が連接される折り線には、当該折り線を切断するように形成された一対のスリットがそれぞれ折り線方向に対向配置される。
【００１４】
また、本発明の包装箱において、さらに、内フラップと側面板が連接される各折り線には、当該折り線を切断するように形成された一対の第２スリットがそれぞれ折り線方向に対向配置される。
【００１５】
また、本発明の包装箱において、前記一対のスリットは、一対の湾曲状のスリットの組み合わせからなり、該一対の湾曲状のスリットは、凹面対向するように配置されており、胴部の長手方向（胴部の周方向と直交する方向）に形成されたいずれかの折り線を基線として立体箱を平面に折り畳んだ時、上面板側に位置する一対のスリットの片側と底面板側に位置する一対のスリットの片側とが差込により係止できるように上面板側に位置する一対のスリットと底面板側に位置する一対のスリットとが配置形成される。
【００１６】
また、本発明の包装箱において、前記一対のスリットは、一対の湾曲状のスリットの組み合わせからなり、該一対の湾曲状のスリットは、凹面対向するように配置されており、胴部の長手方向（胴部の周方向と直交する方向）に形成されたいずれかの折り線を基線として立体箱を平面に折り畳んだ時、上面板側に位置する一対のスリットの片側と底面板側に位置する一対のスリットの片側とが差込により係止できるように上面板側に位置する一対のスリットと底面板側に位置する一対のスリットとが配置形成されており、前記一対の第２のスリットは、一対の湾曲状の第２のスリットの組み合わせからなり、該一対の湾曲状の第２のスリットは、凹面対向するように配置されており、これらの第２のスリットの少なくとも一つのスリットは、前記胴部の長手方向（胴部の周方向と直交する方向）に形成されたいずれかの折り線を基線として立体箱を平面に折り畳んだ時、上面板側に位置する一対のスリットの他の片側または底面板側に位置する一対のスリットの他の片側と差込により係止できるように配置形成される。
【００１７】
また、本発明の包装箱において、前記一対の第２のスリットは、一対の湾曲状の第２のスリットの組み合わせからなり、該一対の湾曲状の第２のスリットは、凹面対向するように配置されており、これらの第２のスリットの少なくとも一つのスリットは、前記胴部の長手方向（胴部の周方向と直交する方向）に形成されたいずれかの折り線を基線として立体箱を平面に折り畳んだ時、上面板側に位置する一対のスリットの片側または底面板側に位置する一対のスリットの片側と差込により係止できるように配置形成される。
【００１８】
【発明の実施の形態】
以下、本発明の包装箱の具体的実施の形態の一例について、図１〜図６を参照しつつ説明する。
【００１９】
図１は、本発明の包装箱１の展開図の一例を示したものである。図２（ａ）〜（ｃ）は、それぞれ、包装箱１から内容物を取り出すための開封手順を経時的に示す概略斜視図である。図３〜図６は、それぞれ、包装箱としての役目を終え、廃棄されることとなった空箱（包装箱）を平面に折り畳んだ後に、畳み終えた平面形態を実質的に維持させるようにロックする状況を説明するための概略斜視図である。なお、図７は、本発明の包装箱１の他の展開図の一例を示したものである。
【００２０】
（第１の実施の形態）
本発明の包装箱１は、図１に示される展開図から容易に理解できるように、例えば、複数枚（本実施の形態では４枚）の板体である側面板１１、底面板２１、側面板１５、上面板２５が連なって形成される帯状の胴部を有している。上面板２５の開口側の両端部にはそれぞれ外フラップ４５，４５が連接して形成されており、底面板２１の開口側の両端部にはそれぞれ外フラップ４１，４１が形成されている。
【００２１】
側面板１１および１５の開口側の両端部にはそれぞれ内フラップ３１，３１および３５，３５が実質的に連接して形成されている。ここで、『実質的な連接』と表現しているのは、直接的な連接のみならず間接的な連接をも含む趣旨である。すなわち、例えば、後述する図７の展開図に示されるように、各側面板１１，１５は側片３８を介して間接的に内フラップ３１，３５と連接している形態が存在するからである。図７に示されるような側片３８の形成により、組み立て後、上面板２５からみた平面形状は、箱の角部があたかも切り取られたような変形８角形となる（図７の符号Ｈ相当部分）。本発明においては、図１に示されるような一般的な上面４角形形態であってもよいし、図７に示されるような上面変形８角形であってもよいことは勿論である。
【００２２】
なお、本発明でいう内フラップとは、未開封状態（出荷箱状態）で内側に位置するフラップをいい、外フラップとは、未開封状態（出荷箱状態）で外側に位置するフラップをいう。
【００２３】
本発明の包装箱１は、図１に示される展開図および図２（ａ）に示される組立図から分かるように、例えば、まず最初に、複数枚（本実施の形態では４枚）の板体である側面板１１、底面板２１、側面板１５、上面板２５が連なって形成される帯状の胴部で容器製品物（缶ビールなどの缶製品群）を包み込むように収納した後、糊代片９で帯状の胴部を筒状に一体固着することにより筒状の胴部が形成される。
【００２４】
その後、図１に示される折り線６２，６６，８２，８６から４つの内フラップ３１，３１，３５，３５が内側に折り込まれる。
【００２５】
次いで、この折り込まれた４つの内フラップ３１，３１，３５，３５の外面の所定位置に糊付けがなされる。
【００２６】
次いで、この糊付け面に向けて、折り線７１，７５，９１，９５から４つの外フラップ４１，４１，４５，４５が折り込まれ、図２（ａ）に示されるような包装箱１が完成する。この状態は、いわゆる出荷箱に相当する。
【００２７】
なお、本発明において、上記包装箱の組み立て手順は、箱の形態を特定するためにその一例を示したものであり、上述の手順に限定されるものではない。
【００２８】
本発明の要部は、図１に示される本発明の包装箱１の展開図において、外フラップ４５と上面板２５が連接される折り線９１、および外フラップ４１と底面板２１が連接される折り線７１（これらの折り線９１，７１は開封口とすることができる側に位置している）の部分にそれぞれ、一対のスリット７２，７３および９２，９３（図１では対をなす括弧状のスリットがそれぞれ例示）が形成されている点にある。
【００２９】
すなわち、図１に示されるごとく折り線７１および折り線９１をそれぞれ切断するように形成された一対のスリット７２，７３および９２，９３がそれぞれ折り線方向（折り線が形成されている線方向）に対向配置されている。
【００３０】
このような各一対のスリット７２，７３および９２，９３の存在によって、開封口形成のため外フラップ４１，４５を開いた状態において、折り線７１，９１の近傍であってかつスリット７２，７３および９２，９３に挟まれるエリアＳ１，Ｓ２を部分的に外方に押圧し陥没させることができるようになっている（後述する図２（ｃ）を参照）。
【００３１】
このような押圧操作をより容易に行なうことができるようにするために、対向する一対のスリットの端部同士を結ぶ直線部分には図１に示されるごとく折り線４２，４３および４６，４７をそれぞれ形成しておくことが望ましい。
【００３２】
このような仕様のもと、図２（ｃ）に示すごとく、外フラップ４１，４５を開いた後、さらに間口を広げる操作を容易に行なうことができる。そして、間口を広げることにより、通常、包装箱１の内部に４パック収納されているマルチパック包装体（缶製品を例えば３×２個に纏めた包装容器）の取り出しが極めて容易になる。また、このような包装箱仕様においては、取り出し操作の後、外フラップ４１，４５を再度、封止することもできる。
【００３３】
このような各一対のスリット７２，７３および９２，９３は、それぞれ切断される折り線７１，９１を中心として鏡像関係に配置されることが望ましい。
【００３４】
さらに、このような各一対のスリット７２，７３および９２，９３は、内容物取り出しのための間口を広げるための作用をするものであるから、それぞれ切断される折り線の略中央大部分を占めるよう配置されてなることが望ましい。
【００３５】
上述してきたような外フラップ４１，４５を開いた後、内容物の取り出し間口を広げることができる操作に加えて、あるいは内容物の取り出し間口を広げることができる操作に代えて、空箱となった包装箱の廃棄時の折り畳み・差込ロック機能を発揮させるためには、以下のようなスリット仕様を満たすことが必要となる。
【００３６】
すなわち、各一対のスリット７２，７３および９２，９３は、それぞれ、図１に示されるごとく一対の湾曲状（曲線状）のスリットの組み合わせとし、これらの一対の湾曲状のスリットは、凹面同士が向かい合う凹面対向の配置とされる。この凹面対向の形態はあたかも括弧記号に類似する形態とも表現することができる。
【００３７】
そして、胴部の長手方向（胴部の周方向と直交する方向）に形成された折り線５１，５２，５３，５４のいずれかを基線として立体箱を平面形態に折り畳んだ時、上面板２５側に位置する一対のスリット９２，９３の片側（いずれか一方）と、底面板２１側に位置する一対のスリット７２，７３の片側（いずれか一方）とが重なり合い、重なり部分での差込操作による係止ができるように上面板２５側に位置する一対のスリット９２，９３と底面板２１側に位置する一対のスリット７２，７３とが配置形成される。
【００３８】
このような構成とすることにより、使用後の廃棄の際に平面に折り畳んだ後、スリットの一部の差込により折り畳み体の形態をそのままロックすることが可能となる。
【００３９】
つまり、このようなスリット同士を利用した差込による係止（ロック）は、平面に折り畳んだ時に生じるスリットの湾曲部同士の重なりを利用して行なわれる。そのため、平面に折り畳んだ時に生じるスリットの湾曲部同士の重なり（図５における、長さＬ）は、３〜１０ｍｍ、好ましくは、５〜７ｍｍの範囲に設定するのがよい。このような差込による係止（ロック）動作は、後述する空箱から折り畳み・ロックに至るまでの経時的動作説明により容易に理解することができよう。
【００４０】
なお、このような折り畳みロックすることが可能な包装箱の仕様は、特に、胴部の長手方向（胴部の周方向と直交する方向）に形成された折り線の中でいずれの折り線を基線として立体箱を平面に折り畳んだ場合であっても、上記のロック作用が機能できるように各一対のスリットを配置形成することが望ましい。折り畳みの自由度を増すためである。
【００４１】
以下、本発明の包装箱の要部の作用について詳細に説明する。
【００４２】
内容物（特にマルチパック包装体）の取り出し操作
図２（ａ）〜（ｃ）に基づいて、本発明の第１の機能である内容物（特にマルチパック包装体）の取り出し容易性の機能について説明する。
【００４３】
まず、図２（ａ）に示されるように、開封口とすることができる側の外フラップ４１，４５形成面が上面を向くように包装箱１を立てる。
【００４４】
次いで、図２（ｂ）に示されるように、外フラップ４１，４５を外側に開いて包装箱１を開封する。
【００４５】
次いで、図２（ｃ）に示されるように、内フラップ３１，３５を外側に開いて包装箱１の開封口をオープンにする。この状態では、通常、内容物が開封口のぎりぎりのところまで詰まっているため、包装箱内部に両手を挿入するスペースはほとんどない。特に缶ビール用の包装箱１にあっては、通常、マルチパック包装体（缶製品を例えば３×２個に纏めた包装容器）が４パック収納されている形態をとっているために、スペースの問題はさらに厳しい状況であるといえる。
【００４６】
そこで、本発明においては、各一対のスリット７２，７３および９２，９３によってそれぞれ挟まれているフラップの折り線７１，９１の近傍を部分的に外方に押圧することができるようになっている。これによりフラップ３１，３５のスリットで囲まれていた折り線７１，９１部分は谷折りとなり、スリット部分が立体的に分断されるととも外方に広がり、開封口の間口が拡張する（例えば、図示していないマルチパック包装体の側面が突起することとなる）。この拡張した間口に両手を挿入することにより、マルチパック包装体を容易に取り出すことができる。
【００４７】
廃棄時の空箱の折り畳み操作
次に、図３〜図６に基づいて、本発明の第２の機能である廃棄時の空箱の折り畳みロックの機能について説明する。
【００４８】
図３に示されるように、空箱となった包装箱１の筒状胴部の両端の外フラップ４１，４５および内フラップ３１，３５を開く。
【００４９】
次いで、図４に示されるように、胴部の長手方向（胴部の周方向と直交する方向）に形成された折り線の中でいずれの折り線を基線として立体箱を平面に折り畳む。図４の場合、基線は符号５３または符号５２ということができる。また、図４の場合、例示されている折り畳み方向は矢印（イ）方向であるが、逆側に折り畳んでもロック可能な仕様となっている。
【００５０】
図５に示されるように平面形態に折り畳まれた包装箱において、上面板２５側に位置するスリット９２と、底面板２１側に位置するスリット７３とは重なり合っている（円弧同士が２点で交わるように重なり合う）。次いで、重なり合っている一方のスリットの中へ他方のスリットの舌先（湾曲片）を差込む。その結果、対向する舌先同士が互いに差し込まれて重なっている状態が形成される。この差し込み操作により、折り畳み体の形態をそのままロックすることが可能となる。
【００５１】
なお、図６は、差し込みロックの状態が分かりやすいように、片側の一対のスリット７２，７３の存在を点線で示したものであり、実質的には図５と同じ状態を示したものである。
【００５２】
なお、本発明においては、図７に示されるように、開封口となりうる包装箱１の筒状胴部の両端側にそれぞれ一対のスリット７２，７３および９２，９３を設けるようにしてもよい。
【００５３】
（第２の実施の形態）
図８には、本発明の包装箱１の第２の実施の形態における展開図が示されている。
【００５４】
図８の展開図から容易に理解できるように、第２の実施の形態が、上述してきた第１の実施の形態（例えば、図１）と根本的に異なる点は、さらにスリットが追加形成されている点にある。すなわち、図８に示される第２の実施の形態では、内フラップ３１と側面板１１が連接される折り線６２の部分、および内フラップ３５と側面板１５が連接される折り線８２（これらの折り線６２，８２は開封口とすることができる側に位置している）の部分にそれぞれ、一対の第２のスリット６３，６４および８３，８４（図８では対をなす括弧状のスリットがそれぞれ例示）がさらに追加形成されている。より詳細には、折り線６２および折り線８２をそれぞれ切断するように形成された一対の第２のスリット６３，６４および８３，８４がそれぞれ折り線方向（折り線が形成されている線方向）に対向配置されている。
【００５５】
このような各一対の第２のスリット６３，６４および８３，８４の存在によって、開封口形成のため内フラップ３１，３５を開いた状態において、折り線６２，８２の近傍であってかつ第２のスリット６３，６４および８３，８４に挟まれるエリアＳ３，Ｓ４を部分的に外方に押圧し陥没させることができるようになっている。
【００５６】
このような押圧操作をより容易に行なうことができるようにするために、対向する一対の第２のスリットの端部同士を結ぶ直線部分には図８に示されるごとく折り線３２，３３および３６，３７をそれぞれ形成しておくことが望ましい。
【００５７】
このような仕様のもと、図２（ｃ）に示される第１の実施形態の状態に加えてさらに、内フラップ３１，３５側の間口を広げることができる。間口をさらに広げることにより、マルチパック包装体（缶製品を例えば３×２個に纏めた包装容器）の取り出しがより一層容易になる。また、このような包装箱仕様においては、取り出し操作の後、内フラップ３１，３５を再度、封止することもできる。
【００５８】
このような各一対の第２のスリット６３，６４および８３，８４は、それぞれ切断される折り線６２，８２を中心として鏡像関係に配置されることが望ましい。
【００５９】
さらに、このような各一対の第２のスリット６３，６４および８３，８４は、それぞれ切断される折り線の略中央大部分を占めるよう配置されてなることが望ましい。
【００６０】
上述してきたような内フラップ３１，３５を開いた後、内容物の取り出し間口を広げることができる操作に加えて、あるいは内容物の取り出し間口を広げることができる操作に代えて、空箱となった包装箱の廃棄時の折り畳み・差込ロック機能を発揮させるためには、以下のような第２のスリット仕様を満たすことが必要となる。すなわち、すでに前記第１の実施の形態で説明した一対のスリット７２，７３および９２，９３は、それぞれ、廃棄時の折り畳み・差込ロック機能を発揮させる仕様であることを前提としつつ、図８に示される一対の第２のスリット６３，６４および８３，８４は、それぞれ、一対の湾曲状（曲線状）のスリットの組み合わせとし、これらの一対の湾曲状のスリットは、凹面同士が向かい合う凹面対向の配置とされる。この凹面対向の形態はあたかも括弧記号に類似する形態とも表現することができる。
【００６１】
そして、胴部の長手方向（胴部の周方向と直交する方向）に形成された折り線５１，５２，５３，５４のいずれかを基線として立体箱を平面形態に折り畳んだ時、以下の態様で差込操作による係止ができるように各スリットの設計がなされる。すなわち、
【００６２】
（１）スリット９３と第２のスリット６３との係止；スリット７２と第２のスリット８３との係止；およびスリット９２とスリット７３との係止
最大で同時に上記３箇所の係止が可能であるが、これらの少なくとも１箇所以上で係止できるように各スリットを配置設計することが必要である。
【００６３】
または、
（２）スリット７３と第２のスリット６４との係止；スリット９２と第２のスリット８４との係止；およびスリット９３とスリット７２との係止
同様に最大で同時に上記３箇所の係止が可能であるが、これらの少なくとも１箇所以上で係止できるように各スリットを配置設計することが必要である。
【００６４】
このような構成とすることにより、使用後の廃棄の際に平面に折り畳んだ後、スリットの一部の差込により折り畳み体の形態をそのままロックすることが可能となる。
【００６５】
具体的なスリット同士を利用した差込による係止（ロック）操作は、前記第１の実施の形態ですでに詳細に説明しているので、ここでの説明は省略する。
【００６６】
なお、このような折り畳みロックすることが可能な包装箱の仕様は、特に、胴部の長手方向（胴部の周方向と直交する方向）に形成された折り線の中でいずれの折り線を基線として立体箱を平面に折り畳んだ場合であっても、上記のロック作用が機能できるように各一対のスリットを配置形成することが望ましい。折り畳みの自由度を増すためである。
【００６７】
なお、第２の実施の形態においても、包装箱１の筒状胴部の両端側にそれぞれ図８に示される各スリットを両側配置、すなわち、胴部の帯方向中心線を基準にして図８の各スリットを鏡像関係にそれぞれ配置する形態としてもよい。
【００６８】
【発明の効果】
上述してきたように本発明の包装箱は、上面板、底面板、およびこれらを連結する側面板を有して形成される胴部、ならびに内フラップおよび外フラップを備え、前記内フラップは、側面板の長手方向（胴部の周方向と直交する方向）両端部に実質的に連接して形成されており、前記外フラップは、上面板および底面板の長手方向（胴部の周方向と直交する方向）両端部に連接して形成されており、前記フラップと上面板、底面板ないし側面板が連接される折り線であって、かつ少なくとも一方の開封口側に位置する折り線において、これらの各折り線の少なくとも１つの折り線を切断するように形成された一対のスリットが折り線方向に対向配置されているように構成されているので、包装箱からいわゆるマルチパック（缶製品を例えば３×２個に纏めた包装容器）や缶製品を取り出す際に、取り出し易くかつ再封止可能な包装箱を提供することができる。また、使用後の廃棄の際に折り畳みロックすることができコンパクトな形態を維持したまま廃棄することが可能な包装箱を提供するができる。
【図面の簡単な説明】
【図１】本発明の包装箱の展開図（第１の実施の形態）の一例を示したものである。
【図２】（ａ）〜（ｃ）は、それぞれ、包装箱から内容物を取り出すための開封手順を経時的に示す概略斜視図である。
【図３】包装箱としての役目を終え、廃棄されることとなった空箱（包装箱）を平面に折り畳んだ後に、畳み終えた平面形態を実質的に維持させるようにロックする状況を説明するための概略斜視図である。
【図４】包装箱としての役目を終え、廃棄されることとなった空箱（包装箱）を平面に折り畳んだ後に、畳み終えた平面形態を実質的に維持させるようにロックする状況を説明するための概略斜視図である。
【図５】包装箱としての役目を終え、廃棄されることとなった空箱（包装箱）を平面に折り畳んだ後に、畳み終えた平面形態を実質的に維持させるようにロックする状況を説明するための概略斜視図である。
【図６】包装箱としての役目を終え、廃棄されることとなった空箱（包装箱）を平面に折り畳んだ後に、畳み終えた平面形態を実質的に維持させるようにロックする状況を説明するための概略斜視図である。
【図７】本発明の包装箱の展開図の他の一例を示したものである。
【図８】本発明の包装箱の展開図（第２の実施の形態）の一例を示したものである。
【符号の説明】
１…包装箱
１１，１５…側面板
２１…底面板
２５…上面板
３１，３５…内フラップ
４１，４５…外フラップ
７２，７３…一対のスリット
９２，９３…一対のスリット
６３，６４…一対の第２のスリット
８３，８４…一対の第２のスリット
【図１】
2004238034.tif 000003
【図２】
2004238034.tif 000004
【図３】
2004238034.tif 000005
【図４】
2004238034.tif 000006
【図５】
2004238034.tif 000007
【図６】
2004238034.tif 000008
【図７】
2004238034.tif 000009
【図８】
2004238034.tif 000010